(57)【要約】      （修正有）【課題】カップ部を有する女性用衣料において、着脱を容易に行うことができるとともに、カップ部がバストにフィットし着用感を向上させた前開き女性用衣料を提供する。【解決手段】外側衣料１７と、外側衣料１７の内面に配置される内側衣料１８とを備える前開き女性用衣料であって、外側衣料１７の前身頃が左右の前身頃１１に分割されており、左右の前身頃１１の合わせ部１４は、ボタン及びボターンホール１６によって着脱開閉される。内側衣料１８は、左右のバストカップ体２５、２６と、左右のバストカップ体２５、２６がそれぞれ装着されるとともに、当該左右のバストカップ体２５、２６に背面に向けて張力を作用させる伸縮素材からなる張力作用部材２２とから構成されている。【選択図】図３
0003204853.tif 000002
【実用新案登録請求の範囲】
【請求項１】
少なくとも女性の上半身に対応した前身頃が左右に分割され、且つ前記左右に分割された前身頃の合わせ部に連結自在な連結手段を有する前開き女性用衣料において、
前記左右の前身頃の内側には、当該左右の前身頃に対応して分割された左右のバストカップ部がそれぞれ装着されるとともに、前記左右のバストカップ部の背面側には、当該左右のバストカップ部に背面に向けて張力を作用させる伸縮素材からなる張力作用部材が設けられ、前記左右のバストカップ部は、前記左右の前身頃を前記連結手段により連結することで前記張力作用部材に作用する張力によって左右のバストに保持されることを特徴とする前開き女性用衣料。
【請求項２】
前記張力作用部材の両端部は、前記左右の前身頃内面の前記合わせ部側に位置する端部にそれぞれ固定され、前記左右のバストカップ部は、前記張力作用部材に装着されていることを特徴とする請求項１に記載の前開き女性用衣料。
【請求項３】
前記前開き女性用衣料は、外側衣料と前記外側衣料の内側に配置される内側衣料とを備え、前記内側衣料は、前記左右のバストカップ部と前記張力作用部材からなる背面部とを有し、
前記内側衣料は、前記外側衣料に対して着脱自在に構成されていることを特徴とする請求項１又は２に記載の前開き女性用衣料。
【請求項４】
前記外側衣料は、動体裁断により構成されていることを特徴とする請求項１乃至３のいずれかに記載の前開き女性用衣料。
【請求項５】
前記張力作用部材は、前記左右のバストカップ部の上端部に対応した位置に左右の肩紐部をそれぞれ備え、前記左右の肩紐部の上端は、前記左右の前身頃内面の肩部に固定されていることを特徴とする請求項１乃至４のいずれかに記載の前開き女性用衣料。
【請求項６】
前記左右の肩紐部の上端は、前記左右の前身頃と当該左右の前身頃の内側に設けられた裏当て部材との間に配置されていることを特徴とする請求項１乃至５のいずれかに記載の前開き女性用衣料。
【請求項７】
前記連結手段は、前記合わせ部に沿って複数配置されたボタンとボタンホールからなり、前記複数のボタンとボタンホールのうち、少なくとも１組は、前記張力作用部材によって張力が作用する前記左右のバストカップ部の下端縁に対応した位置に配置されていることを特徴とする請求項１乃至６のいずれかに記載の前開き女性用衣料。
【請求項８】
前記ボタンホールは、前記張力作用部材により張力が作用する横向きに形成されていることを特徴とする請求項７に記載の前開き女性用衣料。
【請求項９】
前記左右の前身頃の合わせ部は、比翼仕立てに構成され、前記ボタン及びボタンホールは、外部に露出しないことを特徴とする請求項１乃至８のいずれかに記載の前開き女性用衣料。
【請求項１０】
前記連結手段は、ファスナー又は面ファスナーの何れかからなることを特徴とする請求項１乃至６のいずれかに記載の前開き女性用衣料。
【考案の詳細な説明】
【技術分野】
【０００１】
この考案は、前開きワンピース、前開きシャツ、ニット、パーカー、ルームウエアー、ジャケット、カーディガン、カットソー、ブラウス、パジャマなどの少なくとも女性の上半身に対応した前身頃が開いた前開き女性用衣料に関するものである。
【０００２】
この考案の対象衣料は、フロント開閉を前提とする女性用衣料全般であり、ワンピース、セパレーツ等その形態は任意であり、又用途もカジュアル、フォーマル、スポーツなど多種に及び、その構成素材は編地や織地など任意であり、概ねバストシルエット構成にポイントを置く女性用衣料である。
【背景技術】
【０００３】
女性用衣料としては、ブラトップやブラキャミソールと呼ばれるカップ付きの女性用衣料が広く販売されている。休日など家で過ごすときにブラジャーを着用するか否かを問うアンケートでは、「大体着用する」、「偶に着用する」を含めて約６割強の女性が「ブラジャーを着用する」と回答し、２割弱の女性が「ブラトップやブラキャソール等を着用する」と回答している。また、休日など家で過ごすときにどのような部屋着を着用するかとのアンケートでは、約６割強の女性が「Ｔシャツやスウェット」と回答しており、「ブラトップやブラキャソール等を着用する」と回答した女性は、１割弱に留まる。さらに、夜寝るときにブラジャーを着用するかとのアンケートでは、約６割の女性が「ブラジャーを着用しない」と回答しており、１割強の女性が「ブラトップやブラキャソール等を着用する」と回答している。このように、ブラトップやブラキャミソール等のカップ付きの女性用衣料は、ブラジャーを着用せずにバストを保持することができるため、着用が容易であり、若い女性を中心として広く使用されていることが判る。
【０００４】
しかしながら、上記ブラトップやブラキャミソール等のカップ付きの女性用衣料は、タンクトップやＴシャツ等のトップスのバスト部分にカップを縫着したものであり、頭部から被ることにより着脱されるため、着脱時にヘアスタイルが乱れたり、着脱する際に上腕を上げ下げする動作を必然的に伴い、着脱動作が煩雑であるという技術的課題を有している。特に、中高年（シニア）の女性の場合には、カップ付きの女性用衣料を着脱する際の腕の上げ下げに困難を伴う場合があり、不向きであるという技術的課題を有している。
【０００５】
そこで、かかる技術的課題を解決し得るカップ部を有する女性用衣料としては、例えば、実公昭５２−５４４８６号公報、特開２０１０−１３７７４号公報や特開２００８−１４４３３８号公報などに開示されたものが既に提案されている。
【０００６】
この実公昭５２−５４４８６号公報に係る肌着を着用しないで着用するブラジャー付外衣は、後身頃背部中央を縦方向に開閉自在にした外衣の前身頃の上縁部及び上部左右脇部に、下縁部を伸縮自在にすると共に、その端部に取付けた背ゴムを身体の背中に回して装着可能にしたブラジャーの上部及び左右側部を縫着することにより前記外衣の前身頃内側にブラジャーを取付け、該ブラジャーの左右のカップの突出形状に適応するように外衣の前身頃胸部を加熱成形により膨出させてなるように構成したものである。
【０００７】
また、上記特開２０１０−１３７７４号公報に係るカップ付衣類に用いるためのカップ部材は、カップ用ポケットと、カップ用ポケットに挿入するカップとから構成され、カップ用ポケットは、衣類の前身頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてあり、カップは、柔軟性に富み折り曲げても元の形状に復帰可能な材質で作成されたパッドであって、ポケット側掛止部材と掛止可能なカップ側掛止部材が取り付けてあり、カップ用ポケットの周囲のすべてまたは一部を衣類に縫合又は接着することによって衣類に取り付けるようにしたカップ部材であって、カップ側掛止部材のポケット側掛止部材への掛止位置をバストに合わせて所定の範囲内で調整できるように構成したものである。
さらに、この特開２０１０−１３７７４号公報には、カップ付衣類として前立てを設けた前開きで袖のついたパジャマや部屋着あるいはアウターウェアが例示されている。
【０００８】
また、上記特開２００８−１４４３３８号公報に係るバストカップ付女性用アウトウエアーは、女性用ウエアーの前身が外気に当たる外側と肌に直接触れる内側の2枚から成るバストカップ付女性用アウトウエアーであって、以後外側、内側で記する、前記内側の胸部にはカップを収める為のダーツを取り一対のカップが取り付けられ、前記胸部にはアンダーバストからウエストに掛けて巾約８ｃｍから１４ｃｍ巾の胸部安定部が設けられるように構成したものである。
【先行技術文献】
【特許文献】
【０００９】
【特許文献１】実公昭５２−５４４８６号公報
【特許文献２】特開２０１０−１３７７４号公報
【特許文献３】特開２００８−１４４３３８号公報
【考案の概要】
【考案が解決しようとする課題】
【００１０】
しかしながら、上記従来技術の場合には、次のような技術的課題を有している。すなわち、上記実公昭５２−５４４８６号公報に係る肌着を着用しないで着用するブラジャー付外衣の場合は、外衣の後身頃背部中央を縦方向に開閉自在としているものの、着用する際にブラジャーの背ゴムを回避して頭から被るように着用する必要があり、依然として着脱動作が煩雑であるという技術的課題を有している。
また、上記特開２０１０−１３７７４号公報に係るカップ付衣類に用いるためのカップ部材の場合には、カップ用ポケットとカップ用ポケットに挿入するカップとから構成されるものであり、カップと人体との間にカップ用ポケットを構成する生地が介在され、カップが人体にフィットせず着用感を損ねるという技術的課題を有している。
さらに、上記特開２００８−１４４３３８号公報に係るバストカップ付女性用アウトウエアーの場合には、前開きの女性用衣料を前提としたものではなく、しかも女性用アウトウエアーの内側の胸部にカップを収める為のダーツを取り一対のカップが取り付けられ、かつ胸部にアンダーバストからウエストに掛けて巾約８ｃｍから１４ｃｍ巾の胸部安定部が設けられるため、胸部安定部の作用により良好な着用感を得難いという技術的課題を有している。
【００１１】
そこで、この考案は、上記従来技術の課題を解決するものであり、その目的とするところは、カップ部を有する女性用衣料において、着脱を容易に行うことができるとともに、カップ部がバストにフィットし着用感を向上させた前開き女性用衣料を提供することにある。
また、この考案の目的とするところは、部屋で寛ぐ際などのリラクゼーションを目的としたルームリラックスウエアとして、或いはジムや温泉、病院等のように下着の着脱を必要とする施設においても、気軽且つ手軽に着脱することが可能な前開き女性用衣料を提供することにある。
さらに、この考案の目的とするところは、シニアの女性においても、カップ部を有する女性用衣料の着脱に腕の上げ下げを必要とせず、着脱を容易に行うことができる前開き女性用衣料を提供することにある。
【課題を解決するための手段】
【００１２】
この考案は、上記の課題を解決するため、次のような技術的手段を採用している。すなわち、請求項１に記載された発明は、少なくとも女性の上半身に対応した前身頃が左右に分割され、且つ前記左右に分割された前身頃の合わせ部に連結自在な連結手段を有する前開き女性用衣料において、
前記左右の前身頃の内側には、当該左右の前身頃に対応して分割された左右のバストカップ部がそれぞれ装着されるとともに、前記左右のバストカップ部の背面側には、当該左右のバストカップ部に背面に向けて張力を作用させる伸縮素材からなる張力作用部材が設けられ、前記左右のバストカップ部は、前記左右の前身頃を前記連結手段により連結することで前記張力作用部材に作用する張力によって左右のバストに保持されることを特徴とする前開き女性用衣料である。
尚、フロント開閉構造としての連結手段は、ボタン式、ホック式、フック式、ファスナー式且つ当該開閉部はオープンホック式、又はインナーホック式であっても良く、着脱が容易な範囲でバストカップアンダー部までの丈であっても良い。
但し、上記連結手段を構成するボタン・ホック・フック等の単体構成は、バストカップを構成する基礎衣料の安定性から最低当該バストカップを構成する基礎衣料の上部を保持することを前提とする位置にその１つが構成されていなければならないと同時に、２〜３個と複数形成されることが好ましい。
更にバストカップを構成する基礎衣料の開閉部へのフレキシブル性が高い構成（ストレッチ性が高い/良く伸びる）等のマテリアル構成によっては、身頃体の伸張性を多極化することが望ましい。
【００１３】
又、バストカップを構成する基礎衣料は、上記フレキシブル性（高伸張性）を持ったマテリアルとすることによって主衣料の裏地を兼ねた連帯性を形成することが出来る。
【００１４】
請求項２に記載された考案は、前記張力作用部材の両端部は、前記左右の前身頃内面の前記合わせ部側に位置する端部にそれぞれ固定され、前記左右のバストカップ部は、前記張力作用部材に装着されていることを特徴とする請求項１に記載の前開き女性用衣料である。
【００１５】
請求項３に記載された考案は、前記前開き女性用衣料は、外側衣料と前記外側衣料の内側に配置される内側衣料とを備え、前記内側衣料は、前記左右のバストカップ部と前記張力作用部材からなる背面部とを有し、
前記内側衣料は、前記外側衣料に対して着脱自在に構成されていることを特徴とする請求項１又は２に記載の前開き女性用衣料である。
【００１６】
本考案の一つのポイントは、バストシルエット構成にあり、当該衣料のバストシルエットを支える基礎となるバストカップを構成する衣料を内面に複合することにある。
【００１７】
バストカップ構成をポイントとする基礎衣料（内側衣料）は、フロント開閉部を一体とし着脱を容易とすると同時に当該衣料のバストシルエット構成を支持するものである。
【００１８】
また、当該バストカップ構成をポイントとする基礎衣料は、当該衣料のバストシルエット構成を支える能力を持ったバストカップ構成であり、内側衣料を構成する身頃体は、外側衣料とは異なり人体への緩みを形成せず、反対に人体にフィットする為のストレッチ（エラスチック）構成であり、より独立体であることが好ましいが、外側衣料のシルエットを損なわない範囲でショルダー部等の連動一体化形成を採用しても良い。
【００１９】
更に、外側衣料のモード（ボディーフィットスタイル又はベアトップ・オフショルダー・バックレス・ホルターネック等）によっては、それに順応した基礎衣料の形態とすることが好ましい。
【００２０】
請求項４に記載された考案は、前記外側衣料は、動体裁断により構成されていることを特徴とする請求項１乃至３のいずれかに記載の前開き女性用衣料である。
【００２１】
請求項５に記載された考案は、前記張力作用部材は、前記左右のバストカップ部の上端部に対応した位置に左右の肩紐部をそれぞれ備え、前記左右の肩紐部の上端は、前記左右の前身頃内面の肩部に固定されていることを特徴とする請求項１乃至４のいずれかに記載の前開き女性用衣料である。
【００２２】
請求項６に記載された考案は、前記左右の肩紐部の上端は、前記左右の前身頃と当該左右の前身頃の内側に設けられた裏当て部材との間に配置されていることを特徴とする請求項１乃至５のいずれかに記載の前開き女性用衣料である。
【００２３】
請求項７に記載された考案は、前記連結手段は、前記合わせ部に沿って複数配置されたボタンとボタンホールからなり、前記複数のボタンとボタンホールのうち、少なくとも１組は、前記張力作用部材によって張力が作用する前記左右のバストカップ部の下端縁に対応した位置に配置されていることを特徴とする請求項１乃至６のいずれかに記載の前開き女性用衣料である。
【００２４】
請求項８に記載された考案は、前記ボタンホールは、前記張力作用部材により張力が作用する横向きに形成されていることを特徴とする請求項７に記載の前開き女性用衣料である。
【００２５】
請求項９に記載された考案は、前記左右の前身頃の合わせ部は、比翼仕立てに構成され、前記ボタン及びボタンホールは、外部に露出しないことを特徴とする請求項１乃至８のいずれかに記載の前開き女性用衣料である。
【００２６】
請求項１０に記載された考案は、前記連結手段は、ファスナー又は面ファスナーの何れかからなることを特徴とする請求項１乃至６のいずれかに記載の前開き女性用衣料である。
【考案の効果】
【００２７】
この考案によれば、カップ部を有する女性用衣料において、着脱を容易に行うことができるとともに、カップ部がバストにフィットし着用感を向上させたカップ部を有する女性用衣料を提供することができる。
【００２８】
また、この考案によれば、部屋で寛ぐ際などのリラクゼーションを目的としたルームリラックスウエアとして、或いはジムや温泉、病院等のように下着の着脱を必要とする施設においても、気軽且つ手軽に着脱することが可能な前開き女性用衣料を提供することができる。
【００２９】
また、この考案によれば、特にシニアの女性向けに、カップ部を有する女性用衣料の着脱に腕の上げ下げを必要とせず、着脱を容易に行うことができる前開き女性用衣料を提供することができる。
【図面の簡単な説明】
【００３０】
【図１】図１はこの考案の実施の形態１に係る前開き女性用衣料の一例としての前開きワンピースを示す前面構成図である。
【図２】図２はこの考案の実施の形態１に係る前開き女性用衣料の一例としての前開きワンピースを示す背面構成図である。
【図３】図３はこの考案の実施の形態１に係る前開き女性用衣料の一例としての前開きワンピースの要部を示す構成図である。
【図４】図４はこの考案の実施の形態１に係る前開き女性用衣料の一例としての前開きワンピースの合わせ部を示す構成図である。
【図５】図５はこの考案の実施の形態１に係る前開き女性用衣料の一例としての前開きワンピースの内側衣料を示す構成図である。
【図６】図６は張力作用部材を示す構成図である。
【図７】図７（ａ）（ｂ）はバストカップ体を示す正面図及び断面図である。
【図８】図８はこの考案の実施の形態１に係る前開き女性用衣料の一例としての前開きワンピースにおける内側衣料の変形例を示す構成図である。
【図９】図９はこの考案の実施の形態１に係る前開き女性用衣料の一例としての前開きワンピースの変形例を示す要部構成図である。
【図１０】図１０はこの考案の実施の形態１に係る前開き女性用衣料の一例としての前開きワンピースの変形例を示す要部構成図である。
【図１１】図１１（ａ）（ｂ）はこの考案の実施の形態２に係る前開き女性用衣料の一例としてのカップ付きパーカーをそれぞれ示す正面構成図及び背面構成図である。
【図１２】図１２はこの考案の実施の形態２に係る前開き女性用衣料の一例としてのカップ付きパーカーの内側衣料を示す斜視構成図である。
【図１３】図１３はこの考案の実施の形態２に係る前開き女性用衣料の一例としてのカップ付きパーカーの内側衣料を示す展開構成図である。
【図１４】図１４はカップ体を示す断面構成図である。
【図１５】図１５（ａ）（ｂ）はこの考案の実施の形態３に係る前開き女性用衣料の一例としてのカップ付きパーカーをそれぞれ示す正面構成図及び背面構成図である。
【図１６】図１６は内側衣料を示す構成図である。
【図１７】図１７は内側衣料の他の例の要部を示す構成図である。
【図１８】図１８（ａ）（ｂ）は連結手段をそれぞれ示す構成図である。
【図１９】図１９はこの考案の実施の形態４に係る前開き女性用衣料の内側衣料を示す構成図である。
【図２０】図２０はこの考案の実施の形態５に係る前開き女性用衣料の内側衣料を示す構成図である。
【図２１】図２１はこの考案の実施の形態６に係る前開き女性用衣料の内側衣料を示す構成図である。
【考案を実施するための形態】
【００３１】
以下に、この考案の実施の形態について図面を参照して説明する。
【００３２】
実施の形態１
図１及び図２はこの考案の実施の形態１に係る前開き女性用衣料の一例としての前開きワンピースを示す正面構成図及び背面構成図である。
【００３３】
この前開きワンピース１は、図１及び図２に示すように、前身頃２及び後身頃３からなる身頃部４と、身頃部４の左右の袖ぐり部にそれぞれ縫着された半袖状の左右の袖部５、６と、身頃部４の上端部に位置する襟ぐり部に形成された襟部７と、身頃部４の左右の体側部にそれぞれ縫着された左右のポケット８、９とを備えている。なお、前開きワンピース１は、半袖状のものに限定されず、長袖や七分袖、あるいは袖部を有しない所謂ノースリーブとして構成されたものであっても良いことは勿論である。
【００３４】
前身頃２は、図１に示すように、左右の前身頃１１、１２に分割されて前面の中央部が左右に全面開放される前開き形状に構成されている。左右の前身頃１１、１２の合わせ部１３、１４には、図３及び図４に示すように、連結自在な連結手段の一例としてのボタン１５及びボタンホール１６がそれぞれ設けられている。また、本実施の形態では、左右の前身頃１１、１２の合わせ部１３、１４が比翼仕立てに構成され、ボタン１５及びボタンホール１６は、比翼仕立てに構成された合わせ部１３、１４により外部に露出しないように構成されている。
【００３５】
更に説明すると、右前身頃１２の合わせ部１４の端縁１４ａは、図４に示すように、左前身頃１１の合わせ部１３側（図中右側）に向けて延長されており、合わせ部１３、１４は、互いに重ね合わされている。右前身頃１２の合わせ部１４は、芯材１４ｃを介在させて裏面側に折り返され三重に構成されている。また、左前身頃１１の合わせ部１３は、芯材１３ａを介在させて裏面側に折り返されやはり三重となるよう構成されている。この三重に構成された右前身頃１２の合わせ部１４には、その裏面側の布地１４ｂ及び芯材１４ｃにボタンホール１６が開口されており、ボタンホール１６の外周には、図示しない穴かがりが施されている。ボタンホール１６は、合わせ部１４の表面側の布地により覆われて外部に露出していない。また、三重に構成された左前身頃１１の合わせ部１３には、ボタンホール１６に対応した位置にボタン１５が縫着されている。ボタン１５及びボタンホール１６は、上下方向に沿って所定の間隔を隔てて配置されている。
【００３６】
また、ボタン１５及びボタンホール１６のうち、図中上から２番目及び３番目のボタン１５ａ、１５ｂ及びボタンホール１６ａ、１６ｂは、図３に示すように、後述する張力作用部材２２の上端縁及び下端縁に対応した位置にそれぞれ配置されており、当該張力作用部材２２に背面側に向けて作用する張力に対抗して、これらのボタン１５ａ、１５ｂ及びボタンホール１６ａ、１６ｂの連結による保持力を作用させている。なお、ボタン１５及びボタンホール１６の間隔は、必ずしも等間隔である必要なく、張力作用部材２２に対応したボタン１５ａ、１５ｂ及びボタンホール１６ａ、１６ｂの間隔を他の領域に比較して狭く設定しても良い。また、ボタン１５ａ、１５ｂ及びボタンホール１６ａ、１６ｂは、必要に応じて張力作用部材２２の幅方向（上下方向）に対応した中間部に更に配置するなど数を増やしても良い。或いは、張力作用部材２２に対応した位置にボタン１５ａ、１５ｂ及びボタンホール１６ａ、１６ｂ以外に補助的にフックやアイ等の連結手段を追加して配置させても良い。
【００３７】
また、ボタンホール１６は、図４に示すように、前中心に対して直交するように配置された横ボタンホールとして構成されている。その理由は、ボタンホール１６を前中心に対して平行に配置した縦ボタンホールとして構成した場合には、張力作用部材２２によって左右の前身頃１１、１２の合わせ部１３、１４に対して互いに離間する方向の張力が作用した際に、ボタン１５がボタンホール１６から離脱する虞れが生じるのを回避するためである。但し、張力作用部材２２によって左右の前身頃１１、１２の合わせ部１３、１４に作用する張力の大きさ等によっては、必ずしも横ボタンホールを採用する必要はなく、左右の前身頃１１、１２の合わせ部１３、１４に作用する張力が相対的に小さい場合などには、縦ボタンホールを用いても良い。
【００３８】
なお、連結手段としては、ボタン１５とボタンホール１６の組み合わせ以外に、ファスナーや、ホック、フック、フック状に起毛された面状部材とループ状に密集して起毛された面状部材とを押し付けることにより接合される面ファスナーなど、他の連結自在な連結手段を用いても良い。
【００３９】
前身頃２及び後身頃３は、表地のみからなる一枚構成であっても、表地及び裏地、あるいは表地及び裏地や芯材等からなる二枚以上の複数枚構成としても良い。この実施の形態では、図３に示すように、左右の前身頃１１、１２のうち、女性の上半身の胸部に対応した位置にのみ裏地１９が胸部の下部までにわたり縫着されており、当該女性の上半身の胸部の下端部から肩部にわたる領域のみが二重に構成されている。前開きワンピース１を構成する素材は、綿、絹、毛等の天然繊維や、ナイロン、ポリエステル等の合成繊維（化繊）、あるいはこれらの混紡からなる織地や編地など任意のものが選択される。
【００４０】
また、前開きワンピース１は、図３に示すように、当該前開きワンピース１の外側を構成する外側衣料１７と、当該外側衣料１７の内側に配置される内側衣料１８とを備える。外側衣料１７は、内側衣料１８を除いた裏地１９を含む前開きワンピース１の外部構成そのものからなる。また、外側衣料１７は、例えば、動体裁断により構成されている。動体裁断は、解剖学に基づいた洋服の裁断法であり、着用者が腕の上げ下げあるいは上体の前屈や捩じり等の動作を行っても皮膚のようにストレスなく体になじむ服を目的としたものである。動体裁断により構成される外側衣料１７は、左右の袖部５、６を上げても前身頃４の裾部が上方にずれあがり難く、外側衣料１７の動きが内側衣料１８に影響するのを抑制することができる。そのため、前開きワンピース１を外側衣料１７と内側衣料１８とから構成した場合であっても、インナーとしての内側衣料１８が外側衣料１７の動きに合わせて移動してしまい着用感を損ねることが抑制される。
【００４１】
一方、内側衣料１８は、図３、図５及び図６に示すように、大別して、左右の前身頃１１、１２の内側に左右に分割されてそれぞれ配置される左右のバストカップ部２０、２１を構成する左右のバストカップ体２５、２６と、左右のバストカップ体２５、２６に人体の背面に向けた張力を作用させる伸縮素材からなる張力作用部材２２とから構成されている。
【００４２】
左右のバストカップ体２５、２６は、左右のバストカップ部２０、２１の保形性を高めるとともに、必要に応じてバストの補正効果を発揮させるためのものである。左右のバストカップ体２５、２６は、図７に示すように、女性のバストの形状に合わせて或いは女性のバストを人体の中央上部に移動させるようにモールド成型によって三次元形状に形成されたウレタンや不織布等からなるカップ本体２５ａ、２６ａと、カップ本体２５ａ、２６ａの表裏を覆う表布２５ｂ、２６ｂ及び裏布２５ｃ、２６ｃと、カップ本体２５、２６の外周を縁取る縁取りテープ２５ｄ、２６ｄとから構成されている。また、左右のバストカップ体２５、２６は、図３に示すように、左右の前身頃１１、１２の合わせ部１３、１４側の端縁と体側部側の端縁が内側衣料１８の張力作用部材２２に縫着２８ａ、２８ｂされている。
【００４３】
また、内側衣料１８の構成としては、左右のバストカップ部２０、２１を三次元形状に形成された左右のバストカップ体２５、２６を用いて構成するのではなく、左右のバストカップ部２０、２１を、図８に示すように、上部布４１ａ，４２ａ及び下部布４１ｂ，４２ｂを湾曲形状に形成された実線で示す縫着部を介して互いに縫着するとともに、左右のバストカップ部２０、２１の下部に土台布４３、４４を縫着して構成しても良い。この場合、左右のバストカップ部２０、２１は、その下端縁にボーン４５、４６を内蔵したものであっても良い。この場合には、左右のバストカップ部２０、２１における体側部側の端部に縫着される背面部２９が伸縮素材からなる張力作用部材を構成する。なお、左右のバストカップ部２０、２１を覆う表生地は、内側衣料１８が外部に露出するものではないため設けない構成を採用することができる。また、左右のバストカップ部２０、２１は、肩紐部を兼ねる縁取りテープ２３、２４により縁取られているとともに、背面部２９の上下両端縁には、伸縮性テープ２９ａ、２９ｂが縫着されている。
【００４４】
張力作用部材２２は、内側衣料１８を背面側から見た図６に示すように、左右のバストカップ体２５、２６が縫着される左右のバストカップ部３０、３１と、左右のバストカップ部３０、３１の背面側に一体的に設けられた背面部２９と、左右のバストカップ部３０、３１の上端から肩部にわたり一体的に設けられた幅広の左右の肩紐部３２、３３とを備える。
【００４５】
張力作用部材２２の左右のバストカップ部３０、３１は、図６に示すように、左右対称な形状に形成されている。左右のバストカップ部３０、３１は、全体を一体的に構成しても良いが、三次元的な立体形状に形成される左右のバストカップ体２５、２６の表面側に配置されることを考慮すると、左右のバストカップ体２５、２６の表面形状に沿って湾曲した立体形状に形成することが望ましい。左右のバストカップ部３０、３１は、例えば、バストトップの近傍を通るように湾曲した曲線によって２つに分割された上側布片３０ａ、３１ａと下側布片３０ｂ、３１ｂとを互いに縫着することにより、人体のバストに対応したカップ形状に形成されている。また、左右のバストカップ部３０、３１は、熱モールド成型加工された接ぎ目が無いシームレスの生地から左右のバストカップ体２５、２６の表面形状に沿って湾曲した立体形状に一体的に形成しても良い。
【００４６】
また、背面部２９は、左右のバストカップ部３０、３１を連結するように一体的に構成されて人体の背面部に配置される細長い矩形状に形成されている。
【００４７】
さらに、左右の肩紐部３２、３３は、左右のバストカップ部３０、３１の上端部から前開きワンピース１の肩部に掛け渡された幅の広い帯状に形成されている。左右の肩紐部３２、３３の上端は、図３に示すように、前開きワンピース１内面の肩部の上端に対応した位置で縫着により固定されている。
【００４８】
前開きワンピース１は、図３に示すように、着用時、左右の袖部５、６に腕を通す際に左右の肩紐部３２、３３が邪魔になるのを回避するため、左右の肩紐部３２、３３の上部が裏地１９に開口された挿通口１９ａから裏地１９と前身頃１１との間に挿通されている。
【００４９】
また、前開きワンピース１としては、裏地１９に挿通口１９ａを設けるのではなく、図９に示すように、裏地１９の丈を短く設定し、図３に比較して短く形成された裏地１９の下端部を綴じられていない状態である振らしている状態とすることにより、左右の肩紐部３２、３３の上部を裏地１９と前身頃１１との間に挿通するように構成しても良い。
【００５０】
さらに、前開きワンピース１としては、裏地１９を設けることなく、図１０に示すように、左右の肩紐部３２、３３の上部を位置決めするテープ体４９、５０を前身頃１１の内面に縫い止めるように構成しても良い。
【００５１】
内側衣料１８の背面部２９は、図６に示すように、ブラジャーの体側部から背面部に掛けて設けられる伸縮性を有するバック布と同様に、女性の背面にわたり細長い矩形状に形成されている。そのため、内側衣料１８の背面部２９は、ボタン１５及びボタンホール１６を連結することにより、左右のバストカップ部３０、３１に対して女性のバストにフィットする張力を作用させる場合であっても、肌当たりはソフトなものとなる。よって、内側衣料１８は、長時間着用しても肌を圧迫することを抑制することができ、良好な着用感を発揮することができる。また、内側衣料１８の背面部２９は、通常のブラジャーのようにフックやアイ等からなる締結具を有していないため、着用したままの状態で横になっても人体を圧迫することがなく、着用感に優れたものである。また、内側衣料１８は、図３に示すように、左右のバストカップ部３０、３１の合わせ部１３、１４側に位置する端縁が、左右の前身頃１１、１２の内側に左右に分割された状態で全幅にわたりそれぞれ縫着３４、３５されている。そのため、前開きワンピース１を着用する際は、左右のバストカップ部３０、３１に背面部２９の張力が作用することがなく、前開きワンピース１を着用してボタン１５及びボタンホール１６によって左右の前身頃１１、１２を連結したときに初めて背面部２９の張力が作用するので、前開きワンピース１の着用が容易となる。
【００５２】
張力作用部材２２は、伸縮性を有するものであれば特に限定されるものではないが、縦方向及び横方向など２方向に伸縮性を有する２ＷＡＹストレッチ素材を用いるのが望ましい。２ＷＡＹストレッチ素材としては、例えば、約３００％もの高い伸び率を有しながら元の形状に収縮し易く、人体にしっかりフィットするストレッチ素材である東洋紡（株）の２ＷＡＹストレッチ素材「のび子」（登録商標）が用いられる。
【００５３】
張力作用部材２２の人体の胸部における周囲長は、前開きワンピース１の着用時に、左右の前身頃１１、１２をボタン１５及びボタンホール１６により連結することで、当該張力作用部材２２に作用する張力によって左右のバストカップ体２５、２６を女性の左右のバストに保持可能となるように、前開きワンピース１の人体の胸部における周囲長よりも所定の長さだけ短く設定されている。
【００５４】
更に説明すると、前開きワンピース１の外側衣料１７は、通常、ＪＩＳ規格に基いて、トップバストの対応範囲（周囲長）が７２〜８０ｃｍのものがＳサイズ、７９〜８７ｃｍのものがＭサイズ、８６〜９４ｃｍのものがＬサイズとして設定される。
【００５５】
内側衣料１８は、前開きワンピース１の着用時に張力作用部材２２の張力が作用した状態で、左右の前身頃１１、１２の合わせ部１３、１４を含む当該内側衣料１８のアンダー寸法がブラジャーのＪＩＳ規格寸法に適合するように外側衣料１７と比較して短く設定されている。例えば、外側衣料１７のＳサイズに対して、内側衣料１８は、ブラジャーのＪＩＳ規格寸法でのアンダーが６０〜６５ｃｍの範囲、外側衣料１７のＭサイズに対して、内側衣料１８は、ブラジャーのＪＩＳ規格寸法でのアンダーが７０〜７５ｃｍの範囲、外側衣料１７のＬサイズに対して、内側衣料１８は、ブラジャーのＪＩＳ規格寸法でのアンダーが８０〜８５ｃｍの範囲となる様ある程度の許容幅を持たせた状態で、内側衣料１８の胸囲長が外側衣料１７より短くなるように設定されている。その際、当然のことながら、合わせ部１３、１４の合わせ幅が考慮される。
【００５６】
なお、前開きワンピース１のバストアンダー部には、図１に示すように、外側衣料１７と内側衣料１８とのサイズ差を吸収して目立たなくするため、フレアーを周方向に沿って形成したフレアー部Ｆを設けても良い。
【００５７】
上記の如く構成される内側衣料１８は、図３に示すように、左右の肩紐部３２、３３の上端部が前開きワンピース１の肩部内面の上端に縫着されているとともに、左右のバストカップ部３０、３１の人体中央部側の端縁３０ｃ、３１ｃが前開きワンピース１の外側衣料１７における合わせ部１３、１４の内面に上下方向に沿って縫着３４、３５されることで、外側衣料１７に固定されている。また、内側衣料１８は、外側衣料１７に固定せずに、縫着部３４、３５等に対応した位置に配置される面状ファスナーやホック等の着脱具を介して、外側衣料１７に対して着脱自在に構成しても良い。この場合には、内側衣料１８を外側衣料１７から取り外して、人体に直接接触する内側衣料１８のみ洗濯等を行うことができ、衛生上の観点から好ましい。
【００５８】
以上の構成において、この実施の形態に係るカップ付き女性用衣料では、次のようにして、カップ部を有する女性用衣料において、着脱を容易に行うことができるとともに、カップ部がバストにフィットし着用感を向上させることが可能となっている。
【００５９】
また、この実施の形態に係るカップ付き女性用衣料は、次のようにして、部屋で寛ぐ際などのリラクゼーションを目的としたルームリラックスウエアとして、或いはジムや温泉、病院等のように下着の着脱を必要とする施設においても、気軽且つ手軽に着脱することが可能となっている。
【００６０】
さらに、この実施の形態に係るカップ付き女性用衣料では、次のようにして、シニアの女性が着用する場合であっても、カップ部を有する女性用衣料の着脱に腕の上げ下げを必要とせず、着脱を容易に行うことができるようになっている。
【００６１】
すなわち、この実施の形態に係る前開きワンピース１は、図１に示すように、外側衣料１７の左右の前身頃１１、１２における合わせ部１３、１４に設けられたボタン１５を外して、左右の前身頃１１、１２を前開きインナー１の前面中央部から左右に開いた状態で、図３に示すように、外側衣料１７の袖ぐり部から左右の袖部５、６に腕を通す。そして、前開きワンピース１は、外側衣料１７の左右の前身頃１１、１２を合わせ部１３、１４において合わせた状態で、合わせ部１３、１４に設けられたボタン１５を前中心においてボタンホール１６に連結することにより、左右の前身頃１１、１２を連結させて着用される。その際、内側衣料１８の左右のバストカップ体２５、２６は、外側衣料１７の左右の前身頃１１、１２を合わせ部１３、１４において接合することにより互いに女性の左右のバストに対応した所定の位置に配置される。このとき、左右のバストカップ体２５、２６の表面側及び背面側には、左右のバストカップ部３０、３１と同様に２ＷＡＹのストレッチ素材からなる背面部２９が縫着されているため、左右のバストカップ体２５、２６は、内側衣料１８の左右のバストカップ部３０、３１及び背面部２９が有する張力によって着用者の左右のバストにフィットした状態で装着される。
【００６２】
このように、前開きワンピース１は、当該前開きワンピース１の左右の袖部５、６に腕を通すとともに、外側衣料１７の左右の前身頃１１、１２を合わせ部１３、１４に設けられたボタン１５及びボタンホール１６で接合することにより着用できるため、自宅等においてブラジャーを着用する必要がなく、部屋で寛ぐ際などのリラクゼーションを目的としたルームリラックスウエアとして、或いはジムや温泉、病院等のように下着の着脱を必要とする施設においても、気軽且つ手軽に着脱することができる。
【００６３】
また、この実施の形態に係る前開きワンピース１は、シニアの女性が着用する場合であっても、従来のブラキャミやブラトップ等と異なって着用時に上腕を上げ下げする動作が不要であり、腕の上げ下げに困難を伴う場合がある中高年（シニア）の女性であっても容易に着用することができる。
【００６４】
また、前開きワンピース１は、左右の前身頃１１、１２をボタン１５及びボタンホール１６を介して連結することにより、左右の前身頃１１、１２に対応して左右に分割された左右のバストカップ体２５、２６が一体的に連結されるとともに、左右のバストカップ体２５、２６には、内側衣料１８の伸縮性素材からなる左右のバストカップ部３０、３１及び背面部２９によって張力が作用する。そのため、左右のバストカップ体２５、２６は、女性の左右のバストにフィットし、良好な着用感を得ることができる。
【００６５】
なお、前開きワンピース１は、左右の前身頃１１、１２が上下方向に沿った全面にわたり開口している必要はなく、少なくとも女性の上半身に対応した前身頃が左右に分割されていれば良い。この場合には、前開きワンピース１の着脱が容易となる。
【００６６】
また、内側衣料１８は、図５に示すように、略ブラジャー形状に形成したものに限定されるものではなく、キャミソールのように上半身を覆うように構成しても良い。更に説明すると、外側衣料１８が化繊などで形成される場合の肌触りの向上や、上半身の吸汗性を向上させて汗染みが外部衣料１８に現れたりするのを回避するため、内側衣料１８を構成する身生地を下方に延長させるか継ぎ足すような形でキャミソールのように上半身を覆うように内側衣料１８を構成しても良い。なお、下方に延長された内側衣料１８を構成する身生地も前面が左右に分割されて前開き形状に構成され、左右の前身頃１１、１２の合わせ部１３、１４にそれぞれ縫着される。
【００６７】
また、前記実施の形態では、前開き女性用衣料として前開きワンピースに適用した場合について説明したが、本発明はこれに限定されるものではなく、前開きシャツ、ニット、パーカー、ルームウエアー、ジャケット、カーディガン、カットソー、ブラウス、パジャマなどの少なくとも女性の上半身に対応した前身頃が開いた前開き女性用衣料に広く適用できるものである。
【００６８】
実施の形態２
図１１はこの考案の実施の形態２に係る前開き女性用衣料の一例であるカップ付きパーカーを示すものである。
【００６９】
このカップ付きパーカー１は、図１１に示すように、前身頃２及び後身頃３からなる身頃部４と、身頃部４の左右の袖ぐり部にそれぞれ縫着された長袖状の左右の袖部５、６と、身頃部４の上端部に位置する襟ぐり部に縫着されたフード７と、前身頃４の左右の腹部にそれぞれ縫着された左右のポケット８、９とを備えている。なお、前開きインナー１は、長袖状のものに限定されず、半袖や七分袖、あるいは袖部を有しない所謂ノースリーブとして構成されたものであっても良い。また、カップ付きパーカー１は、フード７を備えないものでも勿論良い。図示例では、身頃部４並びにフード７の端縁、左右の袖部５、６の先端及び左右のポケット８、９の上端縁が縁取りテープ１０によって縁取られている。
【００７０】
前身頃２は、左右の前身頃１１、１２に分割されて前面の中央部が開閉される前開き形状に構成されている。左右の前身頃１１、１２の合わせ部１３、１４には、連結自在な連結手段の一例としてのボタン１５及びボタンホール１６がそれぞれ設けられている。なお、この実施の形態では、ボタンホール１６が縦ボタンホールとなっている。
【００７１】
また、カップ付きパーカー１は、図１１及び図１２に示すように、当該カップ付きパーカー１の外側を構成する外側衣料１７と、当該外側衣料１７の内側に配置される内側衣料１８とを備える。
【００７２】
一方、内側衣料１８は、図１２及び図１３に示すように、左右の前身頃１１、１２の内側に左右に分割されてそれぞれ配置される左右のバストカップ部２０、２１と、左右のバストカップ部２０、２１の背面側に縫着された背面部２９と、左右のバストカップ部２０、２１の上端から背面部にわたりそれぞれ掛け渡された左右の肩紐部２３、２４とを備えている。また、左右のバストカップ部２０、２１の内面（人体の肌側の面）には、左右のカップ体２５、２６が配置されている。内側衣料１８は、左右のバストカップ部２０、２１、背面部２２及び左右の肩紐部２３、２４の各部を構成する縦方向及び横方向など２方向に伸縮性を有する２ＷＡＹストレッチ素材により形成されている。また、内側衣料１８には、左右のバストカップ部２０、２１、背面部２９及び左右の肩帯部２３、２４の端縁に、伸縮性を有する縁取りテープ２７が縫着されている。さらに、左右のバストカップ部２０、２１及び背面部２９の下端縁には、ブラジャーと同様に幅広で伸縮性を有する帯状テープ６１が全域にわたり縫着されている。帯状テープ６１としては、例えば、人体に接触する面の肌当たりが良好となるように起毛された伸びの良いゴムテープが用いられる。
【００７３】
左右のバストカップ部２０、２１は、図１２及び図１３に示すように、左右対称な形状に形成されている。左右のバストカップ部２０、２１は、バストトップの近傍を通るように２つに分割された上側布片２０ａ、２１ａと下側布片２０ｂ、２１ｂとを互いに縫着することにより、人体のバストに対応したカップ形状に形成される。また、左右のバストカップ部２０、２１は、熱モールド成型加工された接ぎ目が無いシームレスの生地から構成しても良い。
【００７４】
また、背面部２９は、左右のバストカップ部２０、２１に縫着される左右の側布２９ａ、２９ｂと、左右のバストカップ部２０、２１の上端部に縫着される左右の肩布２９ｃ、２９ｄと、左右の側布２９ａ、２９ｂ及び左右の肩布２９ｃ、２９ｄと一体的に構成されて人体の背面部に比較的面積の大きな矩形状に配置される背面布２９ｅとを有している。
【００７５】
さらに、左右の肩紐部２３、２４は、左右のバストカップ部２０、２１の上端部から背面部２９に掛け渡された幅の広い帯状に形成されている。左右の肩紐部２３、２４は、左右のバストカップ部２０、２１から肩部に伸びた上端部と、背面部２９の左右の肩布２９ｃ、２９ｄとを、人体の肩部の上端に対応した位置で縫着することにより構成されている。また、左右の肩布２９ｃ、２９ｄは、外側衣料１７の人体の肩部の上端に対応した位置で縫着せずに、外側衣料１７の人体の肩部の上端に対応した位置に設けたテープに挿通するように構成しても良い。
【００７６】
内側衣料１８の背面部２９は、ブラジャーの体側部から背面部に掛けて設けられる伸縮性を有するバック布と異なり、女性の背面にわたり十分な面積を有する略矩形状に形成されている。そのため、内側衣料１８の背面部２９は、左右のバストカップ部２０、２１に対して女性のバストにフィットする張力を作用させる場合であっても、肌当たりはソフトなものとなる。よって、内側衣料１８は、長時間着用しても肌を圧迫することを抑制することができ、良好な着用感を発揮することができる。また、内側衣料１８の背面部２９は、通常のブラジャーのようにフックやアイ等からなる締結具を有していないため、着用したまま横になった状態でも人体を圧迫することがない。また、左右のバストカップ部２０、２１は、左右の前身頃１１、１２の内側に左右に分割された状態それぞれ縫着されている。そのため、カップ付きパーカー１を着用する際は、左右のバストカップ部２０、２１に背面部２９の張力が作用することがなく、カップ付きパーカー１を着用して接合手段によって左右の前身頃１１、１２を接合したときに初めて背面部２９の張力が作用するので、カップ付きパーカー１を容易に着用することができる。
【００７７】
左右のカップ体２５、２６は、左右のバストカップ部２０、２１の保形性を高めるためのものである。左右のカップ体２５、２６は、図１４に示すように、女性のバストの形状に合わせて或いは女性のバストを人体の中央上部に移動させるようにモールド成型によって三次元形状に形成されたウレタンや不織布等からなるパッド本体２５ａ、２６ａと、パッド本体２５ａ、２６ａの表裏を覆う表布２５ｂ、２６ｂ及び裏布２５ｃ、２６ｃと、カップ体２５、２６の外周を縁取る縁取りテープ２５ｄ、２６ｄとから構成されている。カップ体２５、２６の上端縁を縁取る縁取りテープ２５ｄ、２６ｄは、ストラップ状に上方に延長されており、縁取りテープ２５ｄ、２６ｄの上端部２５ｅ、２６ｅは、内側衣料１８の左右の肩紐部２３、２４の上端部に縫着２７されている。また、カップ体２５、２６は、図１３に示すように、下端縁と体側部側の端縁が内側衣料１８の左右のバストカップ部２０、２１に縫着２９ａ、２９ｂされている。
【００７８】
上記の如く構成される内側衣料１８は、左右の肩紐部２３、２４の上端部がカップ付きパーカー１の外側衣料１７における袖ぐり部の内面上端に縫着されているとともに、左右のバストカップ部２０、２１の人体中央部側の端縁２０ｃ、２１ｃがカップ付きパーカー１の外側衣料１７における合わせ部１３、１４の内面に縫着３４、３５されることで、外側衣料１７に固定されている。
【００７９】
また、内側衣料１８の構成としては、図１７に示すように、左右のバストカップ部２０、２１を人体中央部近傍まで延長し、左右のバストカップ部２０、２１の人体中央部側の端縁２０ｃ、２１ｃに一対の連結具５１、５２をそれぞれ設け、一対の連結具５１、５２によって左右のバストカップ部２０、２１の人体中央部側の端縁２０ｃ、２１ｃを連結するように構成しても良い。連結具５１、５２としては、図１８（ａ）（ｂ）に示すように、フックやアイからなるものや、一対のフロントホック材などを用いることができる。
【００８０】
また、連結具５１、５２は、図１７に示すように、左右のバストカップ部２０、２１における人体中央部側の端縁２０ｃ、２１ｃの下端部にのみ設けることにより、胸の谷間が開いたプランジグタイプのデザインに対応することが可能となる。さらに、連結具５１、５２は、左右のバストカップ部２０、２１における人体中央部側の端縁２０ｃ、２１ｃに上下にわたり複数設けることにより、バストを寄せる機能を発揮させることができる。
【００８１】
以上の構成において、この実施の形態２に係る前開き女性用衣料では、次のようにして、カップ部を有する女性用衣料において、着脱を容易に行うことができるとともに、カップ部がバストにフィットし着用感を向上させることが可能となっている。
また、この実施の形態に係る前開き女性用衣料では、次のようにして、部屋で寛ぐ際などのリラクゼーションを目的としたルームリラックスウエアとして、或いはジムや温泉、病院等のように下着の着脱を必要とする施設においても、気軽且つ手軽に着脱することが可能となっている。
【００８２】
すなわち、この実施の形態２に係るカップ付きパーカー１は、図１１に示すように、外側衣料１７の左右の前身頃１１、１２における合わせ部１３、１４に設けられたボタン１５を外して、左右の前身頃１１、１２をカップ付きパーカー１の前面中央部から左右に開いた状態で、図１３に示すように、内側衣料１８の左右の肩紐部２３、２４の内側に設けられた開口部に左右の腕を通すとともに、外側衣料１７の袖ぐり部から左右の袖部５、６に腕を通す。そして、カップ付きパーカー１は、外側衣料１７の左右の前身頃１１、１２を合わせ部１３、１４において合わせた状態で、合わせ部１３、１４に設けられたボタン１５をボタンホール１６に装着することにより、左右の前身頃１１、１２を接合して着用される。その際、内側衣料１８の左右のバストカップ部２０、２１は、外側衣料１７の左右の前身頃１１、１２を合わせ部１３、１４において接合することにより互いに女性の左右のバストに対応した所定の位置に配置される。このとき、左右のバストカップ部２０、２１の背面側には、左右のバストカップ部２０、２１と同様に２ＷＡＹのストレッチ素材から背面部２９が縫着されているため、左右のバストカップ部２０、２１は、内側衣料１８の背面部２９が有する張力によって着用者のバストにフィットされる。
【００８３】
このように、カップ付きパーカー１は、当該カップ付き前開きインナー１の左右の袖部５、６に腕を通すとともに、外側衣料１７の左右の前身頃１１、１２を合わせ部１３、１４に設けられたボタン１５及びボタンホール１６で接合することにより着用できるため、着脱を容易に行うことができる。
【００８４】
また、カップ付きパーカー１は、左右の前身頃１１、１２をボタン１５及びボタンホール１６を介して接合することにより、左右の前身頃１１、１２に対応して左右に分割された左右のバストカップ部２０、２１が一体的に接合されるとともに、左右のバストカップ部２０、２１には、内側衣料１８の伸縮性素材からなる背面部２９によって張力が作用する。そのため、左右のバストカップ部２０、２１は、女性の左右のバストにフィットし、良好な着用感を得ることができる。
【００８５】
実施の形態３
図１５はこの発明の実施の形態３に係る前開き女性用衣料を示すものである。
【００８６】
この実施の形態３に係る前開き女性用衣料１は、図１５に示すように、略楕円形状のネック部を有する半袖の前開きシャツである。この前開き女性用衣料１は、前身頃２及び後身頃３からなる身頃部４と、身頃部４の左右の袖ぐり部にそれぞれ縫着された半袖状の袖部５、６と、身頃部４の上端部に大きく開口されたネック部３９とを備えている。
【００８７】
前身頃２は、左右の前身頃１１、１２に分割されて前開き状態に構成されている。左右の前身頃１１、１２の合わせ部１３、１４には、接離自在な接合手段の一例としてのボタン１５及びボタンホール（図示せず）がそれぞれ設けられている。また、左の前身頃１１の合わせ部１３は、内側に折り返されて二重に構成されており、当該合わせ部１３に図示しないボタンホールが開口されている。
【００８８】
左右の前身頃１１、１２の内面には、左右のバストカップ部材３３、３４と、当該左右のバストカップ部材３３、３４の上部に縫着された前肩部材３５、３６とが配置されている。左右のバストカップ部材３３、３４の人体の中央部側の端縁は、左右の前身頃１１、１２の合わせ部１３、１４の内面に縫着されている。また、左右のバストカップ部材３３、３４の下端縁には、ブラジャーと同様に幅広で伸縮性を有する帯状テープ３７が背面にわたり縫着されている。帯状テープ３７としては、例えば、人体に接触する面の肌当たりが良好となるように起毛された伸びの良いゴムテープが用いられる。
【００８９】
また、後身頃３の内面には、そのバスト部分よりも上部に縦方向及び横方向など２方向に伸縮性を有する２ＷＡＹストレッチ素材からなる背面部材３８が縫着されている。
【００９０】
背面部材３８は、左右のバストカップ部材３３、３４の人体の背面側に位置する端部と縫着されており、当該背面部材３８の伸縮力が左右のバストカップ部材３３、３４に作用するように構成されている。
【００９１】
以上の構成において、この実施の形態３に係る前開き女性用衣料１では、次のようにして、カップ部を有する女性用衣料において、着脱を容易に行うことができるとともに、カップ部がバストにフィットし着用感を向上させることが可能となっている。
【００９２】
すなわち、この実施の形態３に係る前開き女性用衣料１は、図１５に示すように、左右の前身頃１１、１２における合わせ部１３、１４に設けられたボタン１５を外して、左右の前身頃１１、１２を前開き女性用衣料１の前面中央部から左右に開いた状態で、左右の肩部５、６に左右の腕を通す。そして、前開き女性用衣料１は、左右の前身頃１１、１２を合わせ部１３、１４において合わせた状態で、合わせ部１３、１４に設けられたボタン１５を図示しないボタンホールに装着することにより、左右の前身頃１１、１２を接合して着用される。その際、左右の前身頃１１、１２の内面に縫着された左右のバストカップ部材３３、３４は、左右の前身頃１１、１２を合わせ部１３、１４において接合することにより互いに女性の左右のバストに対応した所定の位置に配置される。このとき、前開き女性用衣料１の後身頃４の内面には、２ＷＡＹのストレッチ素材から背面部材３８が縫着されているため、左右のバストカップ部材３３、３４は、背面部材３８が有する張力によって着用者のバストにフィットされる。
【００９３】
このように、前開き女性用衣料１は、当該前開き女性用衣料１の左右の袖部５、６に腕を通すとともに、外側衣料１７の左右の前身頃１１、１２を合わせ部１３、１４に設けられたボタン１５及び図示しないボタンホールで接合することにより着用できるため、着用時に上腕を上げ下げする動作が不要であり、着脱を容易に行うことができる。
【００９４】
また、前開き女性用衣料１は、左右の前身頃１１、１２をボタン１５及び図示しないボタンホールを介して接合することにより、左右の前身頃１１、１２に対応して左右に分割された左右のバストカップ部材３３、３４が一体的に接合されるとともに、左右のバストカップ部材３３、３４には、伸縮性素材からなる背面部材３８によって張力が作用する。そのため、左右のバストカップ部材３３、３４は、女性の左右のバストにフィットし、良好な着用感を得ることができる。
【００９５】
実施の形態４
図１９はこの発明の実施の形態４に係る前開き女性用衣料を示すものである。
【００９６】
この実施の形態４に係る前開き女性用衣料１は、図１９に示すように、内側衣料１８の後身頃としての背面部２９の面積が小さい帯状に形成されている。また、内側衣料１８の左右の肩紐部２３、２４は、背面部２９まで延長されておらず、肩までの長さに設定されており、左右の肩紐部２３、２４の上端は、外側衣料１７の肩部に縫着等の手段で接合されている。
【００９７】
この実施の形態４の場合には、前開き女性用衣料１の着脱が一層容易となる。
【００９８】
実施の形態５
図２０はこの発明の実施の形態５に係る前開き女性用衣料１を示すものである。
【００９９】
この実施の形態５に係る前開き女性用衣料１は、図２０に示すように、内側衣料１８の背面部２９が左右に分割されており、左右の背面部２９ｆ、２９ｇがフック５１及びアイ５２等からなる連結具によって接合する長さが調節可能に構成されている。一方の背面部２９ｆには、アイ５２が複数列にわたり設けられており、フック５１と連結するアイ５２を変えることにより背面部２９の長さが調節される。
【０１００】
このように構成することにより、前開き女性用衣料１の内側衣料１８を着用者のバストサイズ等に応じて調節することができ、よりフィット性を高めることができる。
【０１０１】
なお、左右の肩紐部２３、２４は、背面部２９まで延長して当該背面部２９に接合しても良いが、肩までの長さに設定し、左右の肩紐部２３、２４の上端は、外側衣料１７の肩部に縫着等の手段で接合するように構成しても良い。
【０１０２】
実施の形態６
図２１はこの発明の実施の形態６に係る前開き女性用衣料を示すものである。
【０１０３】
この実施の形態６に係る前開き女性用衣料１は、図２１に示すように、内側衣料１８が左右の肩紐部を有しないストラップレスタイプとして構成されている。
【０１０４】
内側衣料１８は、左右のバストカップ部２０、２１における人体中央部側の端縁２０ｃ、２１ｃが外側衣料１７の内面に縫着３４、３５等の手段で接合されるとともに、左右の両脇部において外側衣料１７の内面に縫着４７等の手段で接合される。
【０１０５】
この実施の形態６では、内側衣料１８が左右の肩紐部を有しないため、着用者の肩への負担が無くなり、より楽な着け心地が得られる。
【符号の説明】
【０１０６】
１：前開きワンピース１、２：前身頃、３：後身頃、４：身頃部、５、６：袖部、１１、１２：左右の前身頃、１３、１４：合わせ部、１５：ボタン、１６：ボタンホ−ル、１７：外側衣料、１８：内側衣料、２０、２１：左右のバストカップ部、２２：張力作用部材。
【図１】
0003204853.tif 000003
【図２】
0003204853.tif 000004
【図３】
0003204853.tif 000005
【図４】
0003204853.tif 000006
【図５】
0003204853.tif 000007
【図６】
0003204853.tif 000008
【図７】
0003204853.tif 000009
【図８】
0003204853.tif 000010
【図９】
0003204853.tif 000011
【図１０】
0003204853.tif 000012
【図１１】
0003204853.tif 000013
【図１２】
0003204853.tif 000014
【図１３】
0003204853.tif 000015
【図１４】
0003204853.tif 000016
【図１５】
0003204853.tif 000017
【図１６】
0003204853.tif 000018
【図１７】
0003204853.tif 000019
【図１８】
0003204853.tif 000020
【図１９】
0003204853.tif 000021
【図２０】
0003204853.tif 000022
【図２１】
0003204853.tif 000023